(57)【要約】【課題】  昇降扉を閉じたときの昇降扉の後面に沿って流下する空気流と、吸気通路を通って処理室内に導入された空気流との合流部分における乱流や渦流の発生を防止しうるようにしたドラフトチャンバーを提供する。【解決手段】  昇降扉１４の下端部後面に、後方に向かって山形に突出するとともに、上面に、昇降扉１４の後面に沿って流下してきた空気流Ｆ１を後方に反らせる後斜め下方を向く上部ガイド面２０ａが形成され、かつ下面に、昇降扉１４の閉止時に、吸気通路１２の後部開口の上方に位置し、吸気通路１２を通る空気流Ｆ２を底板８の上面に沿う方向に指向させる下部ガイド面２０ｂが形成されたエアガイド部材２０を設ける。【選択図】  図３
2005270820.tif 000002
【特許請求の範囲】
【請求項１】
排気装置に接続された排気口を上部に備える処理室の前面開口部に昇降扉を設けるとともに、前記処理室の底板の前端部に、前記昇降扉の閉止時に、昇降扉の下方を通って外気を処理室内に導入する後斜め上方を向く吸気通路が設けられたドラフトチャンバーにおいて、
前記昇降扉の下端部後面に、後方に向かって山形に突出するとともに、上面に、前記昇降扉の後面に沿って流下してきた空気流を後方に反らせる後斜め下方を向く上部ガイド面が形成され、かつ下面に、前記昇降扉の閉止時に、前記吸気通路の後部開口の上方に位置し、前記吸気通路を通る空気流を前記底板の上面に沿う方向に指向させる下部ガイド面が形成されたエアガイド部材を設けたことを特徴とするドラフトチャンバー。
【請求項２】
エアガイド部材における上部ガイド面と下部ガイド面とが、後端において尖先状に交わるようにした請求項１記載のドラフトチャンバー。
【請求項３】
下部ガイド面を、吸気通路に連続する凹曲面とした請求項１または２記載のドラフトチャンバー。
【請求項４】
エアガイド部材を、昇降扉の下端部前面に設けた把手と一体的に形成した請求項１〜３のいずれかに記載のドラフトチャンバー。
【請求項５】
昇降扉が下限位置に達したとき、昇降扉の下端が当接するようにした前部縁材を、処理室の底板の前端部に設け、この前部縁材と前記底板の前端との間に吸気通路を形成した請求項１〜４のいずれかに記載のドラフトチャンバー。
【請求項６】
前部縁材の上面を、底板の上面と等高とした請求項５記載のドラフトチャンバー。
【請求項７】
昇降扉の下端に、下限位置に達したとき、前部縁材の上面に当接するようにした緩衝材を設けた請求項５または６記載のドラフトチャンバー。
【発明の詳細な説明】
【技術分野】
【０００１】
本発明は、処理室の底板の前端部に、前方に向かって開口する吸気通路が設けられたドラフトチャンバーに関する。
【背景技術】
【０００２】
実験室等において使用される従来のドラフトチャンバーには、処理室の前面開口部に設けた昇降扉を閉じたとき、処理室内の作業面である底板の上面上に、汚染された空気や比重の大きいガス等が滞留するのを防止するため、底板の前端部に、後斜め上方を向く吸気通路を設け、これを通って外気が作業面に沿って導入されるようにしたものがある（例えば特許文献１参照）。
【０００３】
また、昇降扉の下端部に設けた把手の後面を後方に突出させて、その上部に、昇降扉の後面に沿って流下してきた空気流を後方に反らせる凹曲面を設けるとともに、下面に、処理室の前面開口における昇降扉の下方を通って処理室内に流入する空気を後上方に指向させて、上記凹曲面により反らされた空気流と乱流を生じることなく円滑に合流させるようにした凸曲面（後側円弧部）を設けたものがある（特許文献２）。
【特許文献１】特許第３３２６３０６号公報
【特許文献２】実用新案登録第２６０７７０４号公報
【発明の開示】
【発明が解決しようとする課題】
【０００４】
しかし、特許文献１のものでは、昇降扉を閉じたとき、昇降扉の後面に沿って流下してきた空気流と吸気通路を通って処理室内に流入してきた空気流とが、直角または鈍角をなして合流し、その合流部分で乱流や渦流が生じて、処理室内の正常な空気の流れが阻害され、空気の循環効率が悪くなる等の問題がある。
【０００５】
また、特許文献２のものでは、昇降扉を開いているときの空気の流れはよくなるとしても、昇降扉を閉じたときの空気の流れに対しては、何ら対策がなされておらず、このような把手を、特許文献１の昇降扉に装着したと想定すると、上記把手の凹曲面の後端と、吸気通路の後部の開口とが上下方向にかなり離れることになるので、凹曲面に沿って後方に反らされた空気流と、吸気通路より導入された空気流との間に乱流や渦流が生じるとともに、吸気通路より導入された空気流の一部（上部）が把手の凸曲面に沿って後上方に指向され、上記吸気通路側の空気流が処理室内において上下方向に拡散し、作業面に沿う方向への流れが減少して、作業面上の空気の滞留を防止する効果が低減する。
【０００６】
本発明は、従来の技術が有する上記のような問題点に鑑み、昇降扉を閉じたときの昇降扉の後面に沿って流下する空気流と、吸気通路を通って処理室内に導入された空気流との合流部分における乱流や渦流の発生を防止し、処理室内の空気の流れを改善し、作業面上の空気の滞留を効率よく防止しうるとともに、処理室内に機器を容易に出し入れしうるようにしたドラフトチャンバーを提供することを目的としている。
【課題を解決するための手段】
【０００７】
本発明によると、上記課題は次のようにして解決される。
（１）排気装置に接続された排気口を上部に備える処理室の前面開口部に昇降扉を設けるとともに、前記処理室の底板の前端部に、前記昇降扉の閉止時に、昇降扉の下方を通って外気を処理室内に導入する後斜め上方を向く吸気通路が設けられたドラフトチャンバーにおいて、前記昇降扉の下端部後面に、後方に向かって山形に突出するとともに、上面に、前記昇降扉の後面に沿って流下してきた空気流を後方に反らせる後斜め下方を向く上部ガイド面が形成され、かつ下面に、前記昇降扉の閉止時に、前記吸気通路の後部開口の上方に位置し、前記吸気通路を通る空気流を前記底板の上面に沿う方向に指向させる下部ガイド面が形成されたエアガイド部材を設ける。
【０００８】
（２）上記(１)項において、エアガイド部材における上部ガイド面と下部ガイド面とが、後端において尖先状に交わるようにする。
【０００９】
（３）上記(１)または(２)項において、下部ガイド面を、吸気通路に連続する凹曲面とする。
【００１０】
（４）上記(１)〜(３)項のいずれかにおいて、エアガイド部材を、昇降扉の下端部前面に設けた把手と一体的に形成する。
【００１１】
（５）上記(１)〜(４)項のいずれかにおいて、昇降扉が下限位置に達したとき、昇降扉の下端が当接するようにした前部縁材を、処理室の底板の前端部に設け、この前部縁材と前記底板の前端との間に吸気通路を形成する。
【００１２】
（６）上記(５)項において、前部縁材の上面を、底板の上面と等高とする。
【００１３】
（７）上記(５)または(６)項において、昇降扉の下端に、下限位置に達したとき、前部縁材の上面に当接するようにした緩衝材を設ける。
【発明の効果】
【００１４】
（１）請求項１記載の発明によると、昇降扉の後面に沿って流下してきた処理室内の空気流は、エアガイド部材の上部ガイド面に沿って後方に向けて反らされ、また吸気通路を通って処理室内に導入された空気流は、エアガイド部材の下部ガイド面に沿って後方に向けて反らされ、両空気流は、エアガイド部材の後端より後方に出たところで、乱流や渦流を生じることなく、互いに層流となって合流して後方に向かい、底板の上面である作業面に沿って流れるので、作業面上に汚染空気や比重の大きいガス等が滞留するのを効果的に防止することができるとともに、処理室内の空気の流れを改善することができる。
【００１５】
（２）請求項２記載の発明によると、上部ガイド面に沿う空気流と、下部ガイド面に沿う空気流とを、乱流や渦流を生じさせることなく、整然と合流させることができる。
【００１６】
（３）請求項３記載の発明によると、吸気通路より処理室内に導入された空気流は、吸気通路に連続する下部ガイド面に沿って、層流のままで、円滑に後方に向かって流れることができる。
【００１７】
（４）請求項４記載の発明によると、エアガイド部材を、把手と一体的に形成することができるので、製造が容易になるとともに、昇降扉への位置決めや装着作業が簡単になる。
【００１８】
（５）請求項５記載の発明によると、吸気通路を簡単に形成することができるとともに、処理室の前下部の体裁をよくすることができる。
【００１９】
（６）請求項６記載の発明によると、前部縁材の上面が底板の上面と等高であるので、処理室内への実験用機器や器具の搬入および搬出を容易に行なうことができる。
【００２０】
（７）請求項７記載の発明によると、緩衝材により、昇降扉の閉止時の衝突音の発生や、前部縁材の変形や破損を防止することができ、耐久性を向上することができる。
【発明を実施するための最良の形態】
【００２１】
以下、本発明の一実施形態を、図面に基づいて説明する。
図１および図２に示すように、このドラフトチャンバーは、前面に開き扉(１)を設けたベース(２)上に、前面が開口する処理室(３)を形成する筐体(４)が載置されたものよりなっている。
【００２２】
処理室(３)における天板(５)のほぼ中央には、図示を省略した排気装置に接続された排気口(６)が設けられている。
【００２３】
図３に示すように、処理室(３)における底板(８)の前端面には、その上端より前下方に向かって傾斜する傾斜面(9a)と、その前下端より前方を向く水平面(9b)とを有する左右方向に長いインテークガイド(９)が固着されている。
【００２４】
インテークガイド(９)の上方には、上面が底板(８)の上面と等高をなす水平片(10a)と、その前端より前下方に向かって傾斜する傾斜片(10b)と、その前端より真下に向かって垂下する垂下片(10c)と、その下端より後方に向かって延出する折曲片(10d)とからなる、いわゆるエアホイルとなる左右方向に長い前部縁材(10)が、インテークガイド(９)の長手方向の複数箇所から起立する複数の支持板(11)により支持されており、この前部縁材(10)とインテークガイド(９)との間に、処理室(３)の前面側より後方に向かった後、後斜め上方を向き、外気を処理室(３)内に導く吸気通路(12)が形成されている。
【００２５】
処理室(３)の前面開口部の上部には、固定透光板(13)が設けられており、その前方には、透光板よりなる昇降扉(14)が、筐体(４)の両側板(15)の内面に設けられた上下方向を向くガイド溝(16)に沿って上下動可能として装着されている。
【００２６】
昇降扉(14)は、図示を省略したバランスウエイトと連係され、軽力で上下動しうるとともに、任意の開度、すなわち任意の高さで停止しうるようになっているが、その具体的な構造については、本発明には直接関係しないので、説明を省略する。
【００２７】
昇降扉(14)の下端部には、横長の把手(17)が取付けられている。この把手(17)は、上部中央に左右方向を向く凹溝(18)が形成されており、この凹溝(18)を昇降扉(14)の下端部に嵌合して固着することにより、把手(17)に取付けられている。
【００２８】
把手(17)における昇降扉(14)より前面側には、左右方向を向く手掛け用の凹溝(19)が設けられている。
把手(17)における昇降扉(14)より後面側には、後方に向かって側面視山形に突出するエアガイド部材(20)が一体的に形成されている。
【００２９】
エアガイド部材(20)の上面には、昇降扉(14)の後面に沿って流下してきた空気流(F1)を後方に向かって反らせる後斜め下方を向く上部ガイド面(20a)が形成されている。
【００３０】
エアガイド部材(20)の下面には、昇降扉(14)の閉止時に、吸気通路(12)の後部開口の上方に位置し、かつ吸気通路(12)の後部の開口の上縁より連続する凹曲面をなして、吸気通路(12)を通る空気流(F2)を、底板(８)の上面に沿う方向に指向させる下部ガイド面(20b)が形成されている。
【００３１】
上部ガイド面(20a)と下部ガイド面(20b)とは、エアガイド部材(20)の後端における尖先部(20c)において互いに鋭角をなして交わっている。
【００３２】
把手(17)の前面側の上下部と後面側の中央とには、それぞれ肉抜き用の中空部(21)(22)(23)が設けられ、後部の側面視三角形の中空部(23)内には、尖先部(20c)の内側から前方に向かって水平に延びるリブ(24)が設けられている。
【００３３】
また把手(17)の下端には、昇降扉(14)が下限位置に達したとき、前部縁材(10)における水平片(10a)の上面に当接するようにした、ゴム等の弾性体からなる緩衝材(25)が設けられている。
【００３４】
このドラフトチャンバーにおいては、昇降扉(14)を下限位置まで閉じたとき、エアガイド部材(20)の下部ガイド面(20b)が、吸気通路(12)の後部の開口の上方において、その吸気通路(12)の上縁と連続する凹曲面をなして位置し、吸気通路(12)を通って処理室(３)内に導入された空気流(F2)は、この下部ガイド面(20b)に沿って後方に向けて反らされる。
【００３５】
また、昇降扉(14)の後面に沿って流下してきた処理室(３)内の空気流(F1)は、エアガイド部材(20)の上部ガイド面(20a)に沿って後方に向けて反らされ、エアガイド部材(20)の尖先部(20c)より後方に出たところで、両空気流(F1)(F2)は、乱流や渦流を生じることなく、層流となって円滑に合流して後方に向かい、底板(８)の上面である作業面に沿って流れる。
【００３６】
したがって、作業面上に滞留している汚染空気や比重の大きいガス等は、合流した空気流(F1)(F2)により後方に流されるので、それらが作業面上に滞留するのが効果的に防止されるとともに、処理室(３)内に、乱流や渦流のない理想的な空気の流れを形成することができる。
【００３７】
図２に想像線で示すように、昇降扉(14)を任意の位置まで開いたときは、その下方を通って処理室(３)内に流入する空気流(F3)は、エアガイド部材(20)の下部ガイド面(20b)に沿って後方に向かって流れ、また昇降扉(14)または固定透光板(13)の後面に沿って流下してきた空気流(F1)は、上記と同様に、上部ガイド面(20a)に沿って後方に向かって反らされ、尖先部(20c)より後方に出たところで、両空気流(F1)(F3)は、乱流や渦流を生じることなく合流し、層流となって後方に向かって円滑に流れる。
【００３８】
なお、上記の例では、エアガイド部材(20)の上部ガイド面(20a)は、後下向き傾斜する傾斜面としてあるが、これをなだらかな凹曲面としてもよい。
【図面の簡単な説明】
【００３９】
【図１】本発明の一実施形態の外観斜視図である。
【図２】同じく、中央縦断側面図である。
【図３】図２のＡ部の拡大縦断側面図である。
【符号の説明】
【００４０】
(１)開き扉
(２)ベース
(３)処理室
(４)筐体
(５)天板
(６)排気口
(８)底板
(９)インテークガイド
(9a)傾斜面
(9b)水平面
(10)前部縁材
(10a)水平片
(10b)傾斜片
(10c)垂下片
(10d)折曲片
(11)支持板
(12)吸気通路
(13)固定透光板
(14)昇降扉
(15)側板
(16)ガイド溝
(17)把手
(18)凹溝
(19)凹溝
(20)エアガイド部材
(20a)上部ガイド面
(20b)下部ガイド面
(20c)尖先部
(21)(22)(23)中空部
(24)リブ
(25)緩衝材
(F1)(F2)(F3)空気流
【図１】
2005270820.tif 000003
【図２】
2005270820.tif 000004
【図３】
2005270820.tif 000005